(57)【要約】  本発明は、ジョイント・モニタ・ダイオード（ＭＤ１）を有するマルチプル・レーザ・ダイオードの光パワーの制御のため、さらに、各々に割り当てられたモニタ・ダイオード（ＭＤ１、ＭＤ２）をそれぞれ有する幾つかのレーザのための両方に使用することが可能な適合型レーザ・ダイオード回路を備えた光学的記録メディアのための記録／再生装置に関する。適合型レーザ・ダイオード回路は、ジョイント・モニタ・ダイオード（ＭＤ１）を有するマルチプル・レーザ・ダイオードのために最小限必要となる端子（Ｐ１〜Ｐ５）の数に対応する少ない数の端子接点を有する。これは、端子（Ｐ３）において、レーザ・ダイオード回路の配線を検出する手段を提供することによって実現される。レーザ・ダイオード回路の配線を検出する手段の出力は、ロジック回路に結合される。ロジック回路は、配線に応じてレーザ・ダイオード回路を設定するように意図されている。結果として、端子の数が少ないものの、レーザ・ダイオード回路は、マルチプル・レーザ・ダイオードおよびジョイント・モニタ・ダイオード（ＭＤ１）を用いた光学式記録メディアのための記録／再生装置のため、また、各々にモニタ・ダイオード（ＭＤ１、ＭＤ２）が割り当てられた幾つかのレーザを用いた光学式記録メディアのための記録／再生装置のための両方に使用することができる。
2007536686.tif 000002
【特許請求の範囲】
【請求項１】
ジョイント・モニタ・ダイオード（ＭＤ１）を有するマルチプル・レーザ・ダイオードの光パワーを制御するため、さらに、各々に割り当てられたモニタ・ダイオード（ＭＤ１、ＭＤ２）をそれぞれ有する複数のレーザのための両方に使用可能な、端子接点の数が少ない適合型レーザ・ダイオード回路を備えた光学的記録メディアのための記録／再生装置であって、
前記レーザ・ダイオード回路は、ジョイント・モニタ・ダイオード（ＭＤ１）を有するマルチプル・レーザ・ダイオードのために最小限必要な数の端子（Ｐ１〜Ｐ５）を有する記録／再生装置。
【請求項２】
前記レーザ・ダイオード回路は、ジョイント・モニタ・ダイオード（ＭＤ１）を有するマルチプル・レーザ・ダイオードまたは各々に割り当てられたモニタ・ダイオード（ＭＤ１、ＭＤ２）をそれぞれ有する複数のレーザを備えたレーザ・ダイオード回路の配線を検出する手段が結合された端子（Ｐ３）を有する、請求項１に記載の記録／再生装置。
【請求項３】
前記レーザ・ダイオード回路の配線を検出する手段が比較器（Ｖ２）である、請求項２に記載の記録／再生装置。
【請求項４】
前記レーザ・ダイオード回路は、当該レーザ・ダイオード回路の配線を検出する手段が結合された端子（Ｐ３）を有し、前記レーザ・ダイオード回路の配線を検出する手段の出力は、当該レーザ・ダイオード回路をジョイント・モニタ・ダイオード（ＭＤ１）を有するマルチプル・レーザ・ダイオードのため、または、各々に割り当てられたモニタ・ダイオード（ＭＤ１、ＭＤ２）をそれぞれ有する複数のレーザのために設定するように意図されたロジック回路に結合されている、請求項１に記載の記録／再生装置。
【請求項５】
前記レーザ・ダイオード回路の端子（Ｐ１〜Ｐ５）をジョイント・モニタ・ダイオード（ＭＤ１）を有するマルチプル・レーザ・ダイオードのため、または、各々に割り当てられたモニタ・ダイオード（ＭＤ１、ＭＤ２）をそれぞれ有する複数のレーザのために設定するように、前記レーザ・ダイオード回路は、前記端子（Ｐ１〜Ｐ５）に結合された制御可能な切り替えスイッチ（Ｓ１〜Ｓ４）と、評価回路とを有し、前記評価回路は、前記レーザ・ダイオード回路の配線を検出するための端子（Ｐ３）に結合され、前記端子（Ｐ１〜Ｐ５）を設定するためのロジック回路に結合されている、請求項１に記載の記録／再生装置。
【請求項６】
前記レーザ・ダイオード回路を設定するための前記制御可能な切り替えスイッチ（Ｓ１〜Ｓ４）は、レーザおよびレーザのモニタ・ダイオード（ＭＤ１またはＭＤ２）、または、マルチプル・レーザ・ダイオードのレーザおよび、当該マルチプル・レーザ・ダイオードのジョイント・モニタ・ダイオード（ＭＤ１）の対応するトリミング抵抗器（ＲＭＬ１またはＲＭＬ２）を選択するための電子スイッチであり、当該電子スイッチは、ロジック回路を介して、選択信号（ＳＥＬ）を搬送するラインと、前記レーザ・ダイオード回路の配線を検出するための前記評価回路とに結合されている、請求項５に記載の記録／再生装置。
【請求項７】
前記レーザ・ダイオード回路は、ジョイント・モニタ・ダイオード（ＭＤ１）を有するマルチプル・レーザ・ダイオードのレーザと結合するため、または、各々がモニタ・ダイオードを有する２つのレーザと結合するための出力として意図された２つの端子（Ｐ４およびＰ５）と、モニタ・ダイオード（ＭＤ１）および２つのトリミング抵抗器（ＲＭＬ１およびＲＭＬ２）、または、２つのモニタ・ダイオード（ＭＤ１およびＭＤ２）および基準電圧（Ｖｒｅｆ３）が結合される入力として意図された３つの端子（Ｐ１〜Ｐ３）とを有する、請求項１に記載の記録／再生装置。
【請求項８】
前記レーザ・ダイオード回路は、ジョイント・モニタ・ダイオード（ＭＤ１）を有するマルチプル・レーザ・ダイオードのレーザと結合するため、または、各々がモニタ・ダイオードを有する２つのレーザと結合するための出力として意図された２つの端子（Ｐ４およびＰ５）を有し、
前記２つの端子（Ｐ４およびＰ５）は、第４の制御可能な切り替えスイッチ（Ｓ４）に結合され、
前記第４の制御可能な切り替えスイッチは、前記レーザの光パワーを制御するために、第１の比較器（Ｖ１）に結合され、
前記第１の比較器（Ｖ１）の入力は、第１の制御可能切り替えスイッチ（Ｓ１）に結合され、
前記第４の制御可能な切り替えスイッチ（Ｓ４）は、選択信号（ＳＥＬ）によって制御され、
前記選択信号（ＳＥＬ）は、第１のインバータ（Ｎ１）およびＮＡＮＤゲート（ＮＡＮＤ）を介して前記第１の制御可能な切り替えスイッチ（Ｓ１）を制御し、
前記ＮＡＮＤゲート（ＮＡＮＤ）の他方の入力は、前記レーザ・ダイオード回路の配線を検出する第２の比較器（Ｖ２）の出力に結合され、
前記第２の比較器（Ｖ２）の出力は、少なくとも１つの第３のインバータ（Ｎ３）を介して２つのＡＮＤゲート（Ｕ１およびＵ２）の入力に結合され、
第２のＡＮＤゲート（Ｕ２）には、前記選択信号（ＳＥＬ）が反転された形態で供給されて第２の制御可能なスイッチ（Ｓ２）を制御し、
前記第２の制御可能なスイッチ（Ｓ２）は、マルチプル・ダイオード回路の第１のレーザのための前記レーザ・ダイオード回路の第２の端子（Ｐ２）を接地端子に結合し、
第１のＡＮＤゲート（Ｕ１）には、前記選択信号（ＳＥＬ）が供給されて第３の制御可能なスイッチ（Ｓ３）を制御し、
前記第３の制御可能なスイッチは、マルチプル・ダイオード・レーザの第２のレーザのための前記レーザ・ダイオード回路の第３の端子（Ｐ３）を接地端子に結合し、または、モニタ・ダイオード（ＭＤ１、ＭＤ２）を有する複数のレーザのために、常に開いており、
前記第２の比較器（Ｖ２）の入力は、第３の端子（Ｐ３）に結合されている、請求項１に記載の記録／再生装置。
【請求項９】
第２の比較器（Ｖ２）の基準電圧（Ｖｒｅｆ２）よりも大きい基準電圧（Ｖｒｅｆ３）が前記レーザ・ダイオード回路の前記第３の端子に印加され、前記第１の比較器（Ｖ１）の入力は、第１のレーザが前記選択信号（ＳＥＬ）によって選択されたとき、前記第１の制御可能な切り替えスイッチ（Ｓ１）を介して前記第１のレーザの前記モニタ・ダイオード（ＭＤ１）に結合され、第２のレーザが前記選択信号（ＳＥＬ）によって選択されたとき、前記第２のレーザの前記モニタ・ダイオード（ＭＤ２）に結合される、請求項８に記載の記録／再生装置。
【請求項１０】
前記レーザ・ダイオード回路の前記第３の端子（Ｐ３）にマルチプル・ダイオード・レーザの第１のレーザのための前記モニタ・ダイオード（ＭＤ１）の感度を設定するための第１のトリミング抵抗器（ＲＭ１）が結合され、
第２の比較器（Ｖ２）に対し、当該第２の比較器（Ｖ２）の基準電圧（Ｖｒｅｆ２）を下回る電圧が供給され、
選択されたレーザに対応するように前記トリミング抵抗器（ＲＭＬ１、ＲＭＬ２）の１つを接地端子に結合することによって設定された前記モニタ・ダイオード（ＭＤ１）の感度とは独立して、前記マルチプル・ダイオード・レーザの前記レーザの光パワーを制御するために、前記モニタ・ダイオード（ＭＤ１）は、前記第１の端子（Ｐ１）を介して前記選択信号（ＳＥＬ）により、常に前記第１の比較器（Ｖ１）に結合される、請求項８に記載の記録／再生装置。
【発明の詳細な説明】
【技術分野】
【０００１】
本発明は、ジョイント・モニタ・ダイオードを有するマルチプル・レーザ・ダイオードのため、さらに、各々に割り当てられたモニタ・ダイオードをそれぞれ有する複数のレーザのための両方に使用可能であり、端子接点の数が少ない、レーザ・ダイオード回路を備えた光学式記録メディアのための記録／再生装置に関する。
【０００２】
光学式記録メディアのための記録／再生装置は公知である。この記録／再生装置においては、様々な光学式メディアの再生／記録のための走査／記録装置は、レーザ・ダイオードから発せられた光の強度を測定するための、モニタ・ダイオードを有する少なくとも１つのツイン・レーザ、または、各々がモニタ・ダイオードを有する２つのレーザと、モニタ・ダイオードの感度またはキャリブレーションを設定するための２つのトリミング抵抗器と、対応するレーザに対するモニタ・ダイオード、または、各モニタ・ダイオードの感度を割り当てる制御可能なスイッチング手段と、レーザ・ダイオードの光パワーを制御するためのアナログ比較器とを備える。光パワーを制御するために、モニタ・ダイオードの出力信号は、比較器の第１の入力に供給され、基準電圧は、比較器の第２の入力に印加され、対応するレーザ・ダイオードは、切り替えスイッチにより、ドライバを用いて駆動される。制御可能なスイッチング手段、制御可能な切り替えスイッチ、および、比較器は、一般的に、レーザ・ダイオード回路に集積され、切り替えスイッチの第１の出力は、集積回路、即ち、レーザ・ダイオード回路の第１の出力を形成し、切り替えスイッチの第２の出力は、レーザ・ダイオード回路の第２の出力を形成する。このことから判断すると、図３および図４に示すように、レーザ・ダイオード回路は、ジョイント・モニタ・ダイオードを有するマルチプル・レーザ・ダイオードのため、さらに、各々に割り当てられたモニタ・ダイオードをそれぞれ有する幾つかのレーザのための両方に使用可能にするために、少なくとも６つの端子接点を必要とする。なぜならば、ジョイント・モニタ・ダイオードを有するマルチプル・レーザ・ダイオードの場合は、モニタ・ダイオードの各感度を設定するためのトリミング抵抗器が、また、複数の個々のモニタ・ダイオードの場合は、モニタ・ダイオードがレーザ・ダイオード回路に結合されなければならないからである。
【０００３】
このレーザ・ダイオード回路は、一方では、適合性を有するという長所があるものの、他方では、ジョイント・モニタ・ダイオードを有するマルチプル・レーザ・ダイオードのため、さらに、各々に割り当てられたモニタ・ダイオードをそれぞれ有する複数のレーザのために、別個のレーザ・ダイオード回路を用いる場合と比較して、端子接点の数を多くしなければならないという欠点がある。
【発明の開示】
【０００４】
従って、本発明の目的は、ジョイント・モニタ・ダイオードを有するマルチプル・レーザ・ダイオードのため、さらに、各々に割り当てられたモニタ・ダイオードをそれぞれ有する幾つかのレーザのための両方に使用できるように適合し、必要な端子接点の数が少ない、レーザ・ダイオード回路を提供することにある。
【０００５】
独立請求項に記載された各特徴は、この目的を達成するものである。有用な改良事項は、従属請求項に記載されている。
【０００６】
ジョイント・モニタ・ダイオードを有するマルチプル・レーザ・ダイオードのため、さらに、各々に割り当てられたモニタ・ダイオードをそれぞれ有する幾つかのレーザのための両方に使用することに適合したレーザ・ダイオード回路の端子接点の数を減らすために、レーザ・ダイオードの光パワーを制御するための第１の比較器に加えて、第２の比較器およびロジック回路がレーザ・ダイオード回路に集積される。レーザ・ダイオード回路（レーザ・ダイオード回路は、例えば、より複雑な回路の一部でもある）の端子接点の数を減らすことは、レーザ・ダイオード回路の配線を検出して、ジョイント・モニタ・ダイオードを有するマルチプル・レーザ・ダイオードに係るものであるか、各々に割り当てられたモニタ・ダイオードをそれぞれ有する複数のレーザに係るものであるかを、端子の１つに設けられた第２の比較器を用いて確認し、配線に応じて、ロジック回路を用いてレーザ・ダイオード回路を設定することによって達成される。この設定は、ジョイント・モニタ・ダイオードの感度を対応するレーザに適合させるようにトリミング抵抗器を切り替えるとき、マルチプル・レーザ・ダイオードのジョイント・モニタ・ダイオードが結合されているレーザ・ダイオード回路の端子でオフに切り替わることを防止し、さらに、レーザにそれぞれ割り当てられた幾つかのモニタ・ダイオードを結合するとき、モニタ・ダイオードが、対応するレーザに光パワーを制御するための第１の比較器を用いて結合されるようにすることによって行われる。設定のため、幾つかのモニタ・ダイオードを結合させるとき、基準電圧が端子に印加され、マルチプル・レーザ・ダイオードを結合させる場合、端子は、トリミング抵抗器を用いて配線とつながり、第２の比較器に結合される。
【０００７】
結果として、ジョイント・モニタ・ダイオードを有するマルチプル・レーザ・ダイオードのため、さらに、各々に割り当てられたモニタ・ダイオードをそれぞれ有する複数のレーザのための両方に使用でき、レーザ・パワーを制御するために、マルチプル・レーザのジョイント・モニタ・ダイオードの感度を切り替え、このモニタ・ダイオードを用いて検出された光パワーを測定するのに必要な端子の数に対応する最小限の端子の数を有するレーザ・ダイオード回路が形成される。
【０００８】
レーザ・ダイオード回路は、複数の異なる光学式記録メディアのための記録／再生装置において使用される複数の異なるレーザの光パワーを制御するように意図されている。この場合、各レーザは、光パワーだけでなく、レーザによって発生される光の波長も異なる。レーザ・ダイオード回路にロジック回路を用いることにより、端子の数が少なく、同時に、測定された光パワーを対応するレーザに対して独自に割り当てることができるレーザ・ダイオード回路が得られる。結果として、各レーザが誤ったモニタ・ダイオード信号によってダメージを受けるリスクが低減される。例えば、ＤＶＤプレイヤー（ＣＤにも適したもの）において使用されるような、ツイン・レーザまたは各々がモニタ・ダイオードを有する２つのレーザ・ダイオードの場合、例えば、対応する各スイッチを制御してレーザ・ダイオード回路を設定するために、２つのＡＮＤゲート、１つのＮＡＮＤゲート、および、３つのインバータを備えるロジック回路が提供される。各スイッチを有するロジック回路および第２の比較器は、低コストで少数の端子で、レーザ・ダイオード回路に集積される（レーザ・ダイオード回路は、例えば、より複雑な回路の一部でもある）。本発明の原理は、各々がモニタ・ダイオードを有する２つを超える数のレーザ・ダイオードの光パワーを制御するため、さらに、ジョイント・モニタ・ダイオードを有する２つを超える数のレーザを有するマルチプル・レーザのために意図されたレーザ・ダイオード回路に対して適用することもできる。ロジック回路は、以下の例示的な実施の形態に対応するように拡張される。本発明によれば、ジョイント・モニタ・ダイオードを有するマルチプル・レーザ・ダイオードのため、さらに、各々に割り当てられたモニタ・ダイオードをそれぞれ有する幾つかのレーザのための両方に使用でき、ジョイント・モニタ・ダイオードを備えるマルチプル・レーザのために必要な端子の数に対応する最小限の端子の数を有するレーザ・ダイオード回路が形成される。結果として、特に、端子の数が少なく、低コストの適合型レーザ・ダイオード回路が形成される。
【０００９】
各図面に示された例示的な実施の形態に基づいて、以下、本発明を詳細に説明する。
【発明を実施するための最良の形態】
【００１０】
図３において、公知のレーザ・ダイオード回路の基本的なダイアグラムが示されている。モニタ・ダイオードＭＤ１、ＭＤ２は、それぞれ、２つのレーザ（図示せず）のうちの一方に割り当てられている。公知のレーザ・ダイオード回路の集積回路ＩＣにおいて、比較器Ｖ１の第１の入力は、制御可能な切り替えスイッチＳ１に結合され、第２の入力には、基準電圧Ｖｒｅｆ１が印加されている。制御可能な切り替えスイッチＳ１の第１の入力は、レーザ・ダイオード回路の第１の端子Ｐ１を形成し、制御可能な切り替えスイッチＳ１の第２の入力は、レーザ・ダイオード回路の第２の端子Ｐ２を形成している。比較器Ｖ１の出力は、第４の制御可能な切り替えスイッチＳ４の入力に結合される。第４の制御可能な切り替えスイッチＳ４の第１の出力は、レーザ・ダイオード回路の第５の端子Ｐ５を形成し、第４の制御可能な切り替えスイッチＳ４の第２の出力は、レーザ・ダイオード回路の第６の端子Ｐ６を形成している。第５の端子Ｐ５および第６の端子Ｐ６は、レーザ・ダイオード（図示せず）との結合を意図したものである。さらに、第１のモニタ・ダイオードを有する第１のレーザ・ダイオードが第５の端子Ｐ５に結合されることを表すために、第５の端子Ｐ５をＬＤ１によって示す。これに対応して、第２のレーザ・ダイオードのために、端子Ｐ６をＬＤ２によって示す。さらに、公知のレーザ・ダイオード回路は、第３の端子Ｐ３および第４の端子Ｐ４を有する。第３の端子Ｐ３および第４の端子Ｐ４は、交互に接地端子に結合され、いずれの場合も、制御可能な切り替えスイッチＳ３、Ｓ４を介して接地端子に結合される。これらの端子Ｐ３、Ｐ４は、特に、レーザ・ダイオード回路が、１つのジョイント・モニタ・ダイオードＭＤ１のみを有するマルチプル・レーザのためにも、同様に使用されるように意図されたものである。第５の端子５および第６の端子６に結合されたレーザ・ダイオードの選択のための、また、対応するモニタ・ダイオードＭＤ１、ＭＤ２の選択のための選択信号ＳＥＬによって制御可能な切り替えスイッチＳ１〜Ｓ４は駆動される。第３の端子Ｐ３および第４の端子Ｐ４とが確実に接地端子に交互に接続されるようにするために、インバータＮが設けられ、特に、第２の制御可能な切り替えスイッチＳ２と第３の制御可能な切り替えスイッチＳ３とが選択信号ＳＥＬによって駆動されたときに、同時に閉じることを防止する。第１の端子Ｐ１には、第１のレーザの第１のモニタ・ダイオードＭＤ１が接続され、第２の端子Ｐ２には、第２のレーザの第２のモニタ・ダイオードＭＤ２が接続されている。各モニタ・ダイオードＭＤ１、ＭＤ２は、このモニタ・ダイオードＭＤ１、ＭＤ２の感度またはキャリブレーションを設定するためのトリミング抵抗器ＲＭＤ１、ＲＭＤ２に割り当てられるか、並列に接続される。選択信号ＳＥＬは、第１の制御可能な切り替え信号Ｓ１および第４の制御可能な切り替え信号Ｓ４の両方に供給され、各々のモニタ・ダイオードＭＤ１、ＭＤ２を対応するレーザに割り当てるために使用され、レーザの光パワーは、レーザ・ダイオード回路によって制御される。この目的のため、レーザ・ダイオード回路には、比較器Ｖ１が設けられている。比較器Ｖ１の入力は、第１の制御可能な切り替えスイッチＳ１を介して、レーザのモニタ・ダイオードＭＤ１またはＭＤ２に結合される。レーザは、光パワーが制御され、第４の制御可能な切り替えスイッチＳ４を介して比較器Ｖ１の出力に結合される。集積回路ＩＣの端子Ｐ３およびＰ４は、各々に割り当てられたモニタ・ダイオードＭＤ１、ＭＤ２をそれぞれ有するレーザの光パワーを制御するために外部的に割り当てられるのではなく、マルチプル・ダイオード・レーザのための集積回路ＩＣの適合性（ｃｏｍｐａｔｉｂｉｌｉｔｙ）を得るだけの理由で設けられる。マルチプル・ダイオード・レーザでは、モニタ・ダイオードＭＤ１は、マルチプル・ダイオード・レーザの複数のレーザのために共用で（ｊｏｉｎｔｌｙ）使用される。ツイン・レーザの形態のマルチプル・ダイオード・レーザのジョイント（共用で使用される）・モニタ・ダイオードを備える公知のレーザ・ダイオード回路の基本的なダイアグラムが図４に示されている。
【００１１】
図４の集積回路ＩＣは、図３に示すレーザ・ダイオード回路と内部的には同一である。マルチプル・レーザ、またはツイン・レーザとの使用のために、第１の端子Ｐ１および第２の端子Ｐ２は、互いにレーザ・ダイオード回路の外部で結合され、ジョイント・モニタ・ダイオードＭＤ１に結合される。ジョイント・モニタ・ダイオードＭＤ１には、２つのトリミング抵抗器ＲＭＬ１、ＲＭＬ２が結合され、また、トリミング抵抗器ＲＭＬ１、ＲＭＬ２は、それぞれ、端子Ｐ３および端子Ｐ４に結合される。第５の端子Ｐ５は、さらに、ＬＤ１によって示され、この第５の端子Ｐ５には、ツイン・レーザの第１のレーザが結合され、第１のトリミング抵抗器ＲＭＬ１を用いてモニタ・ダイオードＭＤ１の感度が設定される。これに対応して、第６の端子Ｐ６は、さらにＬＤ２によって示され、この第６の端子Ｐ６には、ツイン・レーザの第２のレーザが結合され、第２のトリミング抵抗器ＲＭＬ２を用いてモニタ・ダイオードＭＤ１の感度が設定される。トリミング抵抗器ＲＭＬ１は、第３の端子Ｐ３に結合され、トリミング抵抗器ＲＭＬ２は、第４の端子に結合されている。トリミング抵抗器ＲＭＬ１およびトリミング抵抗器ＲＭＬ２は、集積回路内のツイン・レーザのそれぞれスイッチオンされたレーザに対するジョイント・モニタ・ダイオードＭＤ１の感度を調節するために、制御可能な切り替えスイッチＳ２およびＳ３を介して接地端子に結合される。この際、第１のレーザが第４の制御可能な切り替えスイッチＳ４を用いて選択されたとき、第３の端子Ｐ３に結合された第１のトリミング抵抗器ＲＭＬ１は、接地端子に結合され、第２のレーザが選択されたとき、第４の端子Ｐ４に結合されている第２のトリミング抵抗器ＲＭＬ２は、接地端子に結合される。レーザ・ダイオード回路は、ジョイント・モニタ・ダイオードＭＤ１を有するマルチプル・レーザ・ダイオードのため、さらに、各々に割り当てられたモニタ・ダイオードをそれぞれ有する複数のレーザのための両方に使用可能なように意図されているので、レーザ・ダイオード回路が選択信号ＳＥＬ、接地端子、および基準電圧Ｖｒｅｆが内部に設けられる集積回路ＩＣの一部であると仮定すると、少なくとも６つの端子接点、即ち、端子Ｐ１からＰ６がレーザ・ダイオード回路のために設けられる。図３および図４に示された公知のレーザ・ダイオード回路における欠点は、必要とされる適合性を得るために、複数の回路を別個に設ける場合と比べて端子接点の数が多くなることである。この欠点を克服するために、図１および図２に示されるレーザ・ダイオード回路が提供される（同様に、レーザ・ダイオード回路は、例えば、より複雑な集積回路の一部でもある）。このレーザ・ダイオード回路は、適合性を有するにも係わらず、端子接点の数が少ない。この場合必要となる端子の数は、マルチプル・ダイオード・レーザのために最小限必要となる端子の数に対応する。これは、図１および図２に示された、低コストで集積回路ＩＣ内に実現される第２の比較器Ｖ２およびロジック回路を有するレーザ・ダイオードを提供することによって可能になる。図３および図４に示される公知のレーザ・ダイオード回路の端子Ｐ１〜Ｐ４、特に第２および第３の端子Ｐ２、Ｐ３の一見して適合性のない機能は、３つの端子のみを用いて、図１および図２では１つの端子、すなわち、第３の端子Ｐ３によってのみ実現される。この第３の端子は、ツイン・レーザの第１のトリミング抵抗器を結合するため、さらに、結合されたレーザのタイプ、つまり、ツイン・レーザであるか、各々に割り当てられたモニタ・ダイオードＭＤ１、ＭＤ２をそれぞれ有するレーザであるかどうかを検出するための両方に使用される。第１の端子Ｐ２および第２の端子Ｐ２は、結合されているレーザのタイプに応じて結合されている。より具体的には、図１および図２に示されたレーザ・ダイオードの発明に係る集積回路ＩＣは、第１の端子Ｐ１が第１の制御可能な切り替えスイッチＳ１の第１の入力に結合され、集積回路ＩＣの第２の端子Ｐ２が第２の制御可能な切り替えスイッチＳ２の入力および第１の制御可能な切り替えスイッチＳ１の第２の入力に結合されている。第２の制御可能な切り替えスイッチＳ２の出力は接地端子に結合されている。集積回路ＩＣの第３の端子Ｐ３は、内部的に第３の制御可能な切り替えスイッチＳ３の入力に結合され、同様に、第３の制御可能な切り替えスイッチＳ３の出力は、接地端子に結合されている。さらに、第３の端子Ｐ３は、第２の比較器Ｖ２の第１の入力に結合され、第２の比較器Ｖ２の第２の入力には、集積回路ＩＣの第２の基準電圧Ｖｒｅｆ２が結合されている。第１の制御可能な切り替えスイッチＳ１の出力は、比較器Ｖ１の第１の入力に結合され、第１の比較器Ｖ１の第２の入力には、第１の基準電圧Ｖｒｅｆ１が印加され、第１の比較器Ｖ１の出力は、第４の制御可能な切り替えスイッチＳ４の入力に結合されている。第４の制御可能な切り替えスイッチＳ４の第１の出力は、第４の端子Ｐ４を形成し、この第４の端子をＬＤ１によって示す。第４の端子Ｐ４には、第１のレーザ（図示せず）が結合されている。第４の制御可能な切り替えスイッチＳ４の第２の出力は、集積回路ＩＣの第５の端子Ｐ５を形成し、第５の端子Ｐ５を第２のレーザ（図示せず）との結合を意図してＬＤ２によって示す。レーザのうちの１つを選択するための選択信号ＳＥＬを搬送するラインは、２つのインバータＮ１、Ｎ２、第１のＡＮＤゲートＵ１の第１の入力、およびレーザのうちの１つを駆動するための第４の制御可能な切り替えスイッチＳ４の制御入力に結合されている。第１のインバータＮ１の出力は、第１の制御可能な切り替えスイッチＳ１を制御するＮＡＮＤゲートＮＡＮＤの第１の入力に結合されている。第２の制御可能な切り替えスイッチＳ２は、第２のＡＮＤゲートＵ２によって起動され、第３の制御可能な切り替えスイッチＳ３は、第１のＡＮＤゲートＵ１によって起動される。ＡＮＤゲートＵ１およびＵ２には、第２の比較器Ｖ２の反転された出力信号が供給され、第２のＡＮＤゲートＵ２には、反転された形態の選択信号ＳＥＬが供給されている。ＮＡＮＤゲートの第２の入力は、同様に、第２の比較器Ｖ２の出力に結合されている。制御可能な切り替えスイッチＳ１からＳ４の数および第１の比較器Ｖ１は、公知のレーザ・ダイオード回路のものと一致するように選択される。本発明に係る集積回路の回路構成は、図２に示すように、マルチプル・ダイオードに必要最低限の数の端子Ｐ１〜Ｐ５を有するものの、モニタ・ダイオードＭＤ１、ＭＤ２がそれぞれ割り当てられるレーザに適合している。ジョイント・モニタ・ダイオードＭＤ１を備えるマルチプル・ダイオード・レーザの場合には、ツイン・レーザのための図２に示すように、トリミング抵抗器ＲＭＬ１、ＲＭＬ２に結合されたモニタ・ダイオードＭＤ１の端子は、レーザ・ダイオード回路の第１の端子Ｐ１に接続され、第２のトリミング抵抗器ＲＭＬ２は、レーザ・ダイオード回路の第２の端子Ｐ２に結合され、第１のトリミング抵抗器は、レーザ・ダイオード回路の第３の端子Ｐ３に結合される。この集積回路の配線では、第２の比較器Ｖ２の基準電圧Ｖｒｅｆは、第３の端子Ｐ３において発生する電圧（Ｐ１で陰極または陽極に結合されるモニタ・ダイオードのために、概ね、−３００ｍＶ〜＋３００ｍＶの範囲の値を有する）よりも大きいため、第２の比較器Ｖ２は、マルチプル・ダイオード・レーザが結合される際、低、または、零とも言及される信号を出力する。これにより、第１のレーザの選択により（この第１のレーザの選択は、同様に、低信号、または、零信号によって行われる）、第１のＡＮＤゲートＵ１の出力は、低電位または零電位を搬送し、第２のＡＮＤゲートＵ２の出力は、高電位を搬送し、第３の制御可能な切り替えスイッチＳ３は、図示されているように、開スイッチ位置のままであり、第２の制御可能な切り替えスイッチＳ２は閉じて第２のレーザに割り当てられた第２のトリミング抵抗器ＲＭＬ２と接地端子とを結合する。この場合のＮＡＮＤゲートＮＡＮＤの出力は、高電位を搬送し、ジョイント・モニタ・ダイオードＭＤ１が第１の比較器Ｖ１と結合され、第１のレーザの光パワーを制御する。また、第２のレーザが選択信号の高電位によって選択される場合には、同様に、ＮＡＮＤゲートＮＡＮＤの出力は、高電位を搬送し、ジョイント・モニタ・ダイオードは、選択信号が変更されても、光パワーを制御するために第１の比較器Ｖ１に結合されたままである。これは、特に、第２の比較器Ｖ２によって供給される信号によって達成される。選択信号の高電位は、第１のＡＮＤゲートＵ１に直接供給され、第２のＡＮＤゲートＵ２に反転された形態で供給され、第２の制御可能な切り替えスイッチＳ２が開き、第３の制御可能な切り替えスイッチＳ３が閉じる。結果として、ジョイント・モニタ・ダイオードＭＤ１の感度は、スイッチがオンされたトリミング抵抗器ＲＭＬ１によって、ツイン・レーザの第１のレーザに適合される。制御可能な切り替えスイッチＳ１は、マルチプル・レーザが結合されているとき、常に、図２に示すスイッチ位置のままになる。なぜならば、端子Ｐ３での電圧は、−３００ｍＶ〜＋３００ｍＶの間にあり、第２の基準電圧Ｖｒｅｆを下回るからである。従って、比較器Ｖ２の出力は、常に低電位を有する。
【００１２】
図１に示すように、各々がモニタ・ダイオードＭＤ１、ＭＤ２を有する幾つかのレーザと結合する際、第２の比較器Ｖ２に対して印加される第２の基準電圧Ｖｒｅｆ２を上回る基準電圧Ｖｒｅｆ３が端子Ｐ３に外部より印加され、このタイプのレーザ・ダイオード回路の配線では、第２の比較器Ｖ２の出力は、常に高電位を搬送する。図１のスイッチ位置の場合には、第１のレーザ・ダイオード（図示せず）が駆動され、ＬＤ１によって示す端子Ｐ４に結合される。他のレーザ・ダイオードに切り替えるため、第１および第４の制御可能なスイッチＳ１、Ｓ４は、選択信号ＳＥＬによって他のスイッチ位置に切り替えられる。第３の基準電圧Ｖｒｅｆ３が第２の基準電圧Ｖｒｅｆ２を上回るように選択されるため、本発明に係る集積回路のロジック回路は、第２の制御可能な切り替えスイッチＳ２および第３の制御可能な切り替えスイッチＳ３が、このタイプのレーザ・ダイオード回路の配線の場合に常に図１に示す開位置のままでいるような効果を生じさせるために使用される。第２の制御可能な切り替えスイッチＳ２および第３の制御可能な切り替えスイッチＳ３は、単純な電子スイッチとして設定することができる。第１の端子Ｐ１には、第１のモニタ・ダイオードＭＤ１と第１のトリミング抵抗器ＲＭＤ１が並列に結合され、第２の端子Ｐ２には、第２のモニタ・ダイオードＭＤ２と第２のトリミング抵抗器ＲＭＤ２が並列に結合される。
【００１３】
図３および図４に示す公知のレーザ・ダイオード回路と本発明のレーザ・ダイオード回路とを比較考慮すると、モニタ・ダイオードおよびトリミング抵抗器を結合するために、４つの端子Ｐ１〜Ｐ４の代わりに３つの端子Ｐ１〜Ｐ３が集積回路ＩＣに設けられている。集積回路ＩＣの端子の数を減少させることにより、集積回路ＩＣの生産や組み立てに係るコストが減少する。本明細書において記載した実施の形態は、例示的な目的で与えられているものに過ぎず、当業者であれば、例えば、スイッチング代数（ｓｗｉｔｃｈｉｎｇ  ａｌｇｅｂｒａ）や、異なる極性の信号、またはロジックを使用することにより、発明の範囲内で、発明の他の実施の形態を実現することができる。さらに、本明細書に提示した本発明の原理は、２つを超える数のレーザのための適合型レーザ・ダイオード回路にも適用することが可能である。
【図面の簡単な説明】
【００１４】
【図１】図１は、モニタ・ダイオードがそれぞれレーザに割り当てられた本発明に係るレーザ・ダイオード回路の基本的なダイアグラムである。
【図２】図２は、ツイン・レーザを用いた本発明に係るレーザ・ダイオード回路の基本的なダイアグラムである。
【図３】図３は、モニタ・ダイオードがそれぞれレーザに割り当てられた公知のレーザ・ダイオード回路の基本的なダイアグラムである。
【図４】図４は、ツイン・レーザのジョイント・モニタ・ダイオードを有する公知のレーザ・ダイオード回路の基本的なダイアグラムである。
【図１】
2007536686.tif 000003
【図２】
2007536686.tif 000004
【図３】
2007536686.tif 000005
【図４】
2007536686.tif 000006
【国際調査報告】
2007536686.tif 000007
2007536686.tif 000008
2007536686.tif 000009